(57)【要約】      （修正有）【課題】身近な筆記具や割り箸等にて文字を記載できることにより、複数のペットボトルの中から、自分のボトルを容易に識別することを可能とするペットボトルを提供する。【解決手段】容器本体２と、容器本体２に着脱自在に装着されるキャップ４とで構成されたペットボトル１において、ペットボトル１の少なくとも一カ所に、筆記具にて文字Ａを記入できる記入部５を形成した。記入部５は、容器本体２の商品表示部３以外の箇所に形成されている。さらに記入部５は、キャップ４に形成されている。【選択図】図１
0003204879.tif 000002
【実用新案登録請求の範囲】
【請求項１】
容器本体と、容器本体に着脱自在に装着されるキャップとで構成されたペットボトルにおいて、前記ペットボトルの少なくとも一カ所に、筆記具にて文字を記入することができる記入部を形成したことを特徴とするペットボトル。
【請求項２】
前記記入部は、容器本体の商品表示部以外の箇所に形成される請求項１記載のペットボトル。
【請求項３】
前記記入部は、キャップに形成される請求項１または２記載のペットボトル。
【請求項４】
前記記入部は、押圧することにより文字が視認できる部材にて形成されている請求項１乃至３のうちいずれか１項に記載のペットボトル。
【考案の詳細な説明】
【技術分野】
【０００１】  本考案は、複数のペットボトルに中から、自分のボトルを容易に識別することができるペットボトルに関する。
【背景技術】
【０００２】  昨今、お茶や果実飲料等を収容する容器としてペットボトルが汎用されている。一般的なペットボトルは、ポリエチレンテレフタレート（ＰＥＴ）樹脂製の容器本体と、回動させることにより容器本体の上部に着脱自在に装着されるキャップとで構成されている。【０００３】  また上記ペットボトルに関連する先行技術として、飲み干す事の出来ないペットボトルの中身を、他の人と間違えることなく保存できる、自分の名前を記する事が出来るペットボトルがある（例えば特許文献１参照）。
上掲特許文献１記載のペットボトルは、ペットボトルに剥ぎ取り可能な、温度変化に強い粘着式のアルファベットが記載されたラベルと、名前を貼り付けるラベルを貼付したことを特徴とするものである。
【先行技術文献】
【特許文献】
【０００４】
【特許文献１】実用新案登録第３０９９４７３号公報（実用新案登録請求の範囲等）
【考案の概要】
【考案が解決しようとする課題】
【０００５】  しかしながら上掲特許文献１のペットボトルは、予めアルファベットが記載されたラベルを製作しなければならず、コストアップに繋がるという問題があった。また、アルファベットによる名前の表記は識別力が低いため、高い識別力を発揮するまでには至らなかった。【０００６】  そこで本考案は上記の点に鑑み、身近な筆記具にて文字が記入できることにより、複数のペットボトルに中から、自分のボトルを容易に識別することが可能なペットボトルを提供することにある。
【課題を解決するための手段】
【０００７】  上記課題を解決するために、容器本体と、容器本体に着脱自在に装着されるキャップとで構成されたペットボトルにおいて、前記ペットボトルの少なくとも一カ所に、筆記具にて文字を記入できる記入部を形成したことを特徴とする。【０００８】  また記入部は、容器本体の商品表示部以外の箇所に形成されている。【０００９】  また、記入部はキャップに形成されている。【００１０】  さらに記入部は、押圧することにより文字が視認できる部材に形成されている。
【考案の効果】
【００１１】  ペットボトルの少なくとも一カ所に、筆記具にて文字が記入できる記入部を形成したことにより、ボールペン等の筆記具で容易に自分の名前等を記入することができる。そのため、複数のペットボトルから自分のボトルを容易に識別することができ、飲みかけの他人のペットボトルを間違って飲んでしまうという問題を回避できる。また、押圧することにより文字が視認できる部材にて形成することで、爪や爪楊枝、また割り箸等で文字を記入することができる。【００１２】  また、容器本体の商品表示部以外の箇所に記入部を形成することで、商品の識別力を低下させることがない。さらに記入部をキャップに形成することで、より高い識別力を実現できる。
【図面の簡単な説明】
【００１３】
【図１】本考案のペットボトルの全体斜視図である。
【図２】記入部を形成したキャップの斜視図である。
【図３】容器本体に形成された記入部の拡大断面図である。
【図４】キャップに形成された記入部の拡大断面図である。
【図５】本考案のペットボトルの使用状態を示す。
【考案を実施するための形態】
【００１４】  本考案のペットボトルは、身近な筆記具にて文字を記載できることにより、複数のペットボトルに中から、自分のボトルを容易に識別できるとともに、筆記具ではない割り箸等でも文字を記入することができることを特徴とする。
以下、本考案におけるペットボトルの実施の形態を図面に基づいて説明する。
【００１５】  図１に示すペットボトル１は、お茶やミネラルウォーター、またコーヒーや果実飲料等を収容する容器本体２と、容器本体２の上部開口に着脱自在に装着されるキャップ４とで構成されている。
【００１６】  容器本体２は、３５０ｍｍｌ、５００ｍｍｌ、１０００ｍｍｌ等の容量を有するさまざまな大きさからなり、全体形状も角形状や円柱状のものが使用される。また前記容器本体２は、リサイクル可能なポリエチレンテレフタレート（ＰＥＴ）樹脂素材にて形成されている。さらに容器本体２の側面には、商品名やデザインを施したパッケージからなる商品表示部３が巻回されている。
【００１７】  また、前記容器本体２の上部開口部には、容器内を気密状に封止するキャップ４が装着されている。前記キャップ４は回動させることにより、容器本体２の上部に着脱自在に装着される。
【００１８】  また特に、前記ペットボトル１の少なくとも一カ所には、筆記具１０にて文字Ａを記入することができる記入部５が形成されている。前記記入部５は、不透明な顔料が溶剤に溶かしてある修正液等が好適に使用される。かかる修正液は、メチルシクロヘキサンの有機溶剤からなり、乾燥性が高く、且つ、ボールペン等の筆記具１０でも確実に記載することができる。
【００１９】  また前記記入部５は、図１及び図２に示すように、容器本体２の商品表示部３以外の非表示部６に形成することが好ましい。非表示部６は商品表示部３とキャップ４との間の部分であり、前記非表示部６に記入部５を形成することで、商品の識別力を低下させることがない。
【００２０】  なお、記入部５に記入される文字Ａは、漢字からなる名前（名字）が好ましいが、これに限られるものではなく、ひらがな、カタカナ、マーク、図形、数字等、自分で認識できるものであれば、特に限定されるものではない。
【００２１】  また前記記入部５は、本体内部に複数の回転軸を内蔵し、回動しながら修正テープを転写していく、市販のテープ転写型修正テープであってもよい。さらにラテックス顔料やポスターカラー等も好適に用いることができる。
【００２２】  また他の好適例として、前記記入部５は、図２及び図４に示すようにキャップ４に形成されている。前記記入部５をキャップ４の上面に形成することで、上方から文字Ａの識別力を高めることができる。なお前記記入部５は、容器本体２の非表示部６とキャップ４の上面の両方に形成してもよい。
【００２３】  また、他の好適例として、前記記入部５は、押圧することにより文字が視認できる部材に形成されている。前記記入部５を例えば、発泡樹脂、膨張剤、カーボン等を含有した肉厚状の素材で形成することで、爪や爪楊枝、また割り箸等で文字を記入することが可能となる。そのため、ボールペン等の筆記具がない場合でも、押圧することで凹凸部が形成され、識別できる文字を記入することができる。
【００２４】  さらに記入部５は、白色に形成されていることが望ましい。記入部５を、白色系材料でるメチルシクロヘキサンからなる有機溶剤で形成することで、記載した文字Ａを明確に識別することができる。また、白色に限定されたものでなく、淡色系のイエロー、ピンク、ブルー、ベージュ等のさまざまな色彩からなるものであってもよい。
【００２５】  上述の如く、ペットボトル１の少なくとも一カ所に、筆記具１０や割り箸等で文字Ａを記入できる記入部５を形成したことにより、容易に自分の名前等を記入することができる。
【００２６】  また図５に示すように、会社のミーティング、組織での会合、宴会、運動会、キャンプ等において、多くの人が集合する際に配られる複数のペットボトルから、自分のボトルを容易に識別することができ、飲みかけの他人の飲料を間違って飲んでしまう問題を回避できる。
【符号の説明】
【００２７】１    ペットボトル
２    容器本体
３    商品表示部
４    キャップ
５    記入部
６    非表示部
１０  筆記具
Ａ    文字
【図１】
0003204879.tif 000003
【図２】
0003204879.tif 000004
【図３】
0003204879.tif 000005
【図４】
0003204879.tif 000006
【図５】
0003204879.tif 000007